(57)【要約】【課題】機種交換や修理交換等の際に、破損させることなく容易に取り付けや取り外しを行うことができ、払い出される大量のコインを収容可能であるとともに、コインの収容により破損等が発生しない充分な強度を有し、さらに、扉体基部の強度を補強することが可能なコイントレーを備えた遊技機を提供すること。【解決手段】扉体基部下側の左右の辺部に、その両端に取付板が一体的に延設され、その幅が遊技機の横幅と略等しいコイントレーが、取付板を介して着脱可能に取り付られていることを特徴とする遊技機。【選択図】　　　図１
2004024391.tif 000002
【特許請求の範囲】
【請求項１】
前面開口を有する本体筐体と、
前記前面開口を略覆う大きさを有し、該前面開口を開閉可能に前記本体筐体に支持された扉体基部と、
前記扉体基部下側の左右の辺部に、その両端に取付板が一体的に延設され、その幅が前記遊技機の横幅と略等しいコイントレーが、前記取付板を介して着脱可能に取り付けられていることを特徴とする遊技機。
【請求項２】
前面開口を有する本体筐体と、
前記前面開口を略覆う大きさを有し、該前面開口を開閉可能に前記本体筐体に支持された扉体基部と、
遊技機前面部に配される複数個の機能部材を、配置領域別に１個又は複数個の単位でそれぞれユニット化してなる複数個の機能部材ユニットとを備え、
前記機能部材ユニットの少なくとも一部が、前記扉体基部の対応する取付領域に着脱可能とされてなる遊技機であって、
前記扉体基部下側の左右の辺部に、その両端に取付板が一体的に延設され、その幅が前記遊技機の横幅と略等しいコイントレーが、前記取付板を介して着脱可能に取り付けられていることを特徴とする遊技機。
【請求項３】
前記コイントレーの取付板は、扉体基部最下端の左右の辺部に取り付けられている請求項１又は２に記載の遊技機。
【発明の詳細な説明】
【０００１】
【発明の属する技術分野】
本発明は、パチンコ機やスロットマシン（パチスロ機を含む）等の遊技機に関するものである。
【０００２】
【従来の技術】
従来の遊技機においては、遊技機前面部に種々の機能部材が配されている。例えば、スロットマシンにおける機能部材としては、リールを回転始動させる際に遊技者が操作する操作レバーや、リールの回転を停止させる際に遊技者が押すストップスイッチ、あるいは、遊技状態等を変動表示する液晶表示装置や、遊技状態等に応じて点灯もしくは点滅される各種表示ランプおよびそれらのカバーレンズ、遊技者に対する効果音等を出すスピーカ装置、さらにはリールの前面を覆う透明板、遊技者に払い出されるコイン等を収容するコイントレー、化粧用パネル等がある。
【０００３】
従来の遊技機においては、上述したような各機能部材は、本体筐体の前面開口を開閉する扉体に一体的に組み付けられており、機種変更等を行なう際には扉体全体を交換するか、本体筐体も含めて遊技機全体を交換するように構成されているのが一般的であった。また、近年においては、扉体を複数の部分に分割して構成し、機種変更時等に交換が必要な機能部材が組み付けられている扉体部分のみを交換することにより、機種変更等に速やかに対応できるように構成された遊技機（特開２００１−９５９７３号公報参照）や、表示ユニットを着脱可能に収容する中枠を設けて、保守作業を容易とした遊技機（特許第２５６２３３０号公報参照）なども知られている。
【０００４】
【発明が解決しようとする課題】
ところで、上述したような各種機能部材の中には、破損したり劣化したりする頻度が比較的高い部材がある。例えば、スロットマシンでは、遊技者が操作する操作部に関連する機能部材の破損等の可能性が他の機能部材に比べて高い。ところが、これまでの遊技機においては、破損等の不具合が生じた機能部材を単独で容易に交換し得るようには構成されていなかった。遊技場においては速やかな修理、部品交換が求められることもあり、これまでは、不具合の生じた機能部材のみを交換すれば良い場合でも、扉体全体を交換することが行なわれており、このことが保守費用を高くする要因となっていた。
【０００５】
また、これまでの遊技機では、機能部材の一部分のみを容易に交換することができないため、機種変更をするには機能部材の全部あるいは大部分を扉体ごと交換する方法しか用意されていなかった。このため、機種変更の際には多大な費用がかかるという問題があった。
【０００６】
さらに、近年、資源の有効利用を図るという要望が、遊技機製造分野においても高まっている。しかし、これまでの遊技機においては、使用可能な機能部材が再利用される機会も無く廃棄されるなど、資源の有効利用を図るという検討が十分なされていなかった。
【０００７】
そこで、本出願人は、先に、前面開口を有する本体筐体と、前面開口を略覆う大きさを有し、該前面開口を開閉可能に本体筐体に支持された扉体基部と、遊技機前面部に配される複数個の機能部材を配置領域別に１個または複数個の単位でそれぞれユニット化してなる複数個の機能部材ユニットとを備え、機能部材ユニットの少なくとも一部が、扉体基部の対応する取付領域に着脱可能とされてなる遊技機を創出した。
【０００８】
このような遊技機によれば、機能部材の一部に何らかの不具合が生じた場合には、その機能部材を有する機能部材ユニットのみを交換することにより、速やかに機能復帰を実現することが可能となる。
【０００９】
また、交換のため取り外した機能部材ユニットは、工場等において部品交換等の修理を行なうことにより再利用することが可能であり、資源の有効利用を図ることが可能となる。
【００１０】
さらに、機種変更に際しても、機能部材ユニットの全部を交換する方法以外に、それらの一部のみを交換する方法により対処することが可能であり、機種変更の態様の多様化および費用低減化を図ることが可能となる。
【００１１】
上記遊技機において、その左右の側面には、その縦の長さが扉体基部の縦の長さとほぼ同様の左サイドランプユニット及び右サイドランプユニットがもうけられている。この左サイドランプユニット及び右サイドランプユニットは、扉体基部の左右の辺部に取り付けることにより脱着可能に固定されており、遊技機の下端部分には、左サイドランプユニット及び右サイドランプユニットに挟持された状態でコイントレーが設けられている。
【００１２】
すなわち、このコイントレーは、細長い平板がその両端で略垂直に屈曲し、下側にコインを保持するためのコイン受け部が形成された構造をしており、屈曲した部材の外側には複数個の固定突起が設けられ、コイントレーを左サイドランプユニットと右サイドランプユニットとの間に挿入した際、左サイドランプユニットと右サイドランプユニットとの対応部分に設けられた凹部に、コイントレーの固定突起を嵌合させることにより固定するようになっている。
【００１３】
しかし、このような挿入タイプのコイントレーの構造に起因して、コイントレーを出し入れする際には、コイントレーの弾性を利用して強制的に出し入れを行う必要があり、出し入れの際の左サイドランプユニットや右サイドランプユニットとの摩擦等に起因して、コイントレーが破損するおそれがあった。
【００１４】
また、上述した固定方法をとっているため、コイントレーは、強度的に充分なものとはいえず、多量のコインが払い出された場合には、固定突起がサイドランプユニットから外れてしまうおそれがあったり、破損するおそれがある等、改良の余地が残っていた。
【００１５】
本発明は、上述した課題に鑑みてなされたものであり、機種交換や修理交換等の際に、破損させることなく容易に取り付けや取り外しを行うことができ、払い出される大量のコインを収容可能であるとともに、コインの収容により破損等が発生しない充分な強度を有し、さらに、扉体基部の強度を補強することが可能なコイントレーを備えた遊技機を提供することを目的とする。
【００１６】
【課題を解決するための手段】
以上のような目的を達成するために、本発明は、扉体基部下側の左右の辺部に、その両端に取付板が一体的に延設され、その幅が遊技機の横幅と略等しいコイントレーが、取付板を介して着脱可能に取り付けられていることを特徴とする。
【００１７】
より具体的には、本発明は、以下のようなものを提供する。
（１）前面開口を有する本体筐体と、
上記前面開口を略覆う大きさを有し、該前面開口を開閉可能に上記本体筐体に支持された扉体基部と、
上記扉体基部下側の左右の辺部に、その両端に取付板が一体的に延設され、その幅が上記遊技機の横幅と略等しいコイントレーが、上記取付板を介して着脱可能に取り付けられていることを特徴とする。
【００１８】
（１）の発明によれば、扉体基部下側の左右の辺部に、コイントレーの両端に存在する取付板を介してコイントレーが取り付けられるようになっているため、機種交換や修理交換の際には、上記取付板で扉体基部を左右から挟み込むようにした後、ビス等の連結部材を用いて簡単に取り付けることができ、また、取り外しも簡単であり、コイントレーを容易に交換することができる。
【００１９】
また、上述した挿入タイプのコイントレーでは、コイントレーの幅が遊技機の横幅よりも狭くなるため、コインの収容量が充分とは言えなかったが、本発明によれば、コイントレーの幅が遊技機の横幅と略等しいので、コイントレーの容量を増大させることができ、充分な数量のコインをコイントレーに収容することができるとともに、扉体基部にしっかりと取り付けられているため、コインの収容により破損等が発生しない充分な強度を有する。
【００２０】
また、挿入タイプのコイントレーでは、出し入れの際等に破損が発生しやすかったが、本発明では、ビス等の連結部材を用いて取り付けるため、コイントレーの取り付けや取り外しに起因して破損が発生することはない。
【００２１】
さらに、コイントレーが扉体基部にしっかりと取り付けられる結果、コイントレーが補強材として働くため、扉体基部の機械的な強度を改善することができる。
【００２２】
さらに、本発明は、以下のようなものを提供する。
（２）前面開口を有する本体筐体と、上記前面開口を略覆う大きさを有し、該前面開口を開閉可能に上記本体筐体に支持された扉体基部と、遊技機前面部に配される複数個の機能部材を、配置領域別に１個又は複数個の単位でそれぞれユニット化してなる複数個の機能部材ユニットとを備え、上記機能部材ユニットの少なくとも一部が、上記扉体基部の対応する取付領域に着脱可能とされてなる遊技機であって、
上記扉体基部下側の左右の辺部に、その両端に取付板が一体的に延設され、その幅が上記遊技機の横幅と略等しいコイントレーが、上記取付板を介して着脱可能に取り付けられていることを特徴とする。
【００２３】
（２）の発明によれば、扉体基部下側の左右の辺部に、上記取付板を介してコイントレーが取り付けられるようになっているため、機種交換や修理交換の際には、上記取付板で扉体基部を左右から挟み込むようにした後、ビス等の連結部材を用いて簡単に取り付けることができ、また、取り外しも簡単であり、コイントレーを容易に交換することができる。
【００２４】
また、コイントレーの幅が遊技機の横幅と略等しいので、コイントレーの容量を増大させることができ、充分な数量のコインをコイントレーに収容することができるとともに、扉体基部にしっかりと取り付けられているため、コインの収容により破損等が発生しない充分な強度を有する。
【００２５】
また、ビス等の連結部材を用いてコイントレーを取り付けるため、コイントレーの取り付けや取り外しに起因して破損が発生することはない。
さらに、コイントレーが扉体基部にしっかりと取り付けられる結果、コイントレーが補強材として働くため、扉体基部の機械的な強度を改善することができる。
【００２６】
さらに、本発明は、以下のようなものを提供する。
（３）上記（１）又は（２）に記載の遊技機であって、
上記コイントレーの取付板は、扉体基部最下端の左右の辺部に取り付けられていることを特徴とする。
【００２７】
（３）の発明によれば、扉体基部最下端にコイントレーが取り付けられているため、収容されるコインの重量を床等で支えることができ、より強度の面で優れる。
【００２８】
以下の説明においては、上記（１）に記載の前面開口を有する本体筐体と、上記前面開口を略覆う大きさを有し、該前面開口を開閉可能に上記本体筐体に支持された扉体基部と、上記扉体基部下側の左右の辺部に、その両端に取付板が一体的に延設され、その幅が上記遊技機の横幅と略等しいコイントレーが、上記取付板を介して着脱可能に取り付けられている遊技機を、第一の本発明の遊技機ともいうことする。
また、上記（２）に記載の前面開口を有する本体筐体と、上記前面開口を略覆う大きさを有し、該前面開口を開閉可能に上記本体筐体に支持された扉体基部と、遊技機前面部に配される複数個の機能部材を、配置領域別に１個又は複数個の単位でそれぞれユニット化してなる複数個の機能部材ユニットとを備え、上記機能部材ユニットの少なくとも一部が、上記扉体基部の対応する取付領域に着脱可能とされてなる遊技機であって、上記扉体基部下側の左右の辺部に、その両端に取付板が一体的に延設され、その幅が上記遊技機の横幅と略等しいコイントレーが、上記取付板を介して着脱可能に取り付けられている遊技機を、第二の本発明の遊技機ともいうこととする。
なお、両者を特に区別しない場合、第一の本発明の遊技機と、第二の本発明の遊技機とをあわせて、本発明の遊技機ということとして説明する。
【００２９】
本発明の遊技機において、上記扉体基部は、矩形状の枠部と、該枠部の左右の各側辺部を互いに連結する連結部とを備え、該連結部により上記取付領域の各々が互いに区分されていることが望ましい。
【００３０】
本発明の遊技機では、該扉体基部に取り付けられた複数個の機能部材ユニットを、左右両方向から挟むように上記扉体基部の左右の各側辺部にそれぞれ取り付けられる、該扉体基部の上下方向に延びたサイド部材を備えていることが好ましい。
【００３１】
上記機能部材ユニットの１つは、遊技者が操作する操作用機能部材を有する操作部ユニットであることが好ましい。さらに、上記機能部材ユニットには、履歴データを記憶する記憶手段が設けられていることが好ましい。
【００３２】
［用語の定義等］
「扉体基部」とは、本体筐体が有する前面開口を略覆う大きさを有し、該前面開口を開閉可能に本体筐体に支持されるものをいう。
第二の本発明の遊技機において、上記扉体基部には、後述する機能部材ユニットが着脱可能に取り付けられる取付領域が設けられている。
一方、第一の本発明の遊技機において、上記扉体基部には、後述する機能部材ユニットが固定配置されることとしてもよく、第二の本発明の遊技機と同様に、機能部材ユニットが着脱可能に取り付けられる取付領域が設けられていてもよい。
【００３３】
「機能部材」とは、操作ボタンや駆動機構等の機械部材、コネクタやＬＥＤ等の電気部材、ＣＰＵや液晶パネル等の電子部品、透明板や広告板等のパネル部材、スピーカ装置や照明装置等の演出部材など、遊技に直接関わる部材やその周辺に配される部材一般を意味する。
【００３４】
「機能部材ユニット」とは、上述した機能部材の１個又は複数個をユニット化したものをいう。
第一の本発明の遊技機において、上記機能部材ユニットは、上記した扉体基部の取付領域に固定配置される。ただし、扉体基部に機能部材ユニットが着脱可能に取り付けられる取付領域に設けられている場合には、機能部材ユニットは取付領域に着脱可能に取り付けられることとなる。
第二の本発明の遊技機において、上記機能部材ユニットは、上記した扉体基部の取付領域に着脱可能に取り付けられるが、必ずしも、全ての機能部材ユニットが、着脱可能に取り付けられることはなく、上記機能部材ユニットのなかには、上記扉体基部に固定されて取り付けられるものが存在してもよい。
【００３５】
「着脱可能」とは、ビス等の連結部材等を用いたり、差し込んだり引き抜いたりすること等により、取り付け、取り外しが容易にできることを意味する。
「取付板が一体的に延設され」とは、取付板がコイントレーを構成する他の部材と同じ材料で、他の部分と分離不可能な態様で作製されていることを意味する。「延設され」とは、取付板の部分がその他の部材の長さ等をさらに延ばした態様で形成されていることを意味する。
【００３６】
「遊技機の横幅と略等しい」とは、コイントレーの横幅は、遊技機の横幅と数字的に全く等しい幅でなくてもよいことを意味する。従って、上記構成のコイントレーで、遊技機の横幅とほんの少し幅に違いのあるものは、本発明に含まれる。
【００３７】
コイントレーの取り付け位置は、扉体基部の下側であればよく、必ずしも扉体基部の最下端でなくてもよい。設計等によっては、扉体基部の最下端に取り付けない場合があるからである。ただし、コイントレーの強度等を勘案すると、扉体基部の最下端にコイントレーを取り付けることが望ましい。床でコインの重量を支えることができるからである。
【００３８】
【発明の実施の形態】
以下、図面に基づいて、本発明に係る遊技機の実施形態を説明する。なお、以下の説明では、代表的な遊技機としてスロットマシンを例にとって説明する。
【００３９】
＜スロットマシン槻要＞
図２は、本発明に係るスロットマシンの一実施形態を示す斜視図である。図２に示すスロットマシン１は、遊技場の島設備等に設置される本体筐体２と、この本体筐体２の前面開口（不図示）を開閉可能なように、その右側辺部を開放端側とすると共に、その左側辺部を回動軸端側として、本体筐体２に支持された前面扉体３とを備えている。詳しくは図１を参照しながら後述するが、この前面扉体３は、扉体基部１０と、この扉体基部１０に取り付けられた各種の機能部材ユニットとを備えてなる。また、本体筐体２の内部には、遊技者を臨む位置に回転可能に配置された複数個（例えば、３個）のリールを備えたリール装置や、スロットマシン１を電気的に制御するための制御装置（いずれも不図示）が設けられている。
【００４０】
なお、後述する各種の機能部材ユニットのうちの一つである下部ユニット６０は、コイントレー６１単独からなる。この両端に取付板が一体的に延設され、その幅がスロットマシン１の横幅と略等しいコイントレー６１が、スロットマシン１の最下端部分において、扉体基部１０に取り付けられている。
【００４１】
一方、扉体基部１０下部の壁部の略中央にはコイン排出口１８が形成されており、このコイン排出口１８から、コインが払い出され、コイントレー６１に収容されることとなる。
コイントレー６１には、灰皿６４が付設されているが、コイントレー６１の幅が広く、その容量が大きくなったために、収納されるコインの量を減少させることなく、このような灰皿等を設けることもできる。ただし、この灰皿６４は、場合によっては、設けなくてもよい。
【００４２】
＜前面扉体の構成＞
図１は、前面扉体３の構成を示す分解斜視図であり、図３は、扉体基部１０（下部ユニット取付領域１７）に、コイントレーが取り付けられた状態を示す水平断面図である。
図１に示すように前面扉体３は、本体筐体２（図２参照）の前面開口を覆う大きさを有する扉体基部１０と、上述の機能部材ユニットとして、上部ユニット２０、リールパネルユニット３０、操作部ユニット４０、腰部ユニット５０、下部ユニット６０、左サイドランプユニット７０Ｌ、右サイドランプユニット７０Ｒの計７個の機能部材ユニットとを備えている。
【００４３】
扉体基部１０は、図示したような矩形状の枠部１１と、この枠部１１の左側辺部１１Ｌと右側辺部１１Ｒとを、それぞれ連結する４個の連結部１２Ａ〜１２Ｄとを備え、これらの連結部１２Ａ〜１２Ｄにより、上部ユニット取付領域１３、リールパネルユニット取付領域１４、操作部ユニット取付領域１５、腰部ユニット取付領域１６、下部ユニット取付領域１７の計５個のユニット取付領域に、上下方向に区分されている。また、扉体基部１０の左側辺部１１Ｌの後部には、ヒンジ部８１Ａ，８１Ｂを備えた長蝶番部材８０がビス止めされており、右側辺部１１Ｒの後部には、錠装置９１を備えた補強杆部材９０がビス止めされている。これら長蝶番部材８０および補強杆部材９０は、扉体基部１０の剛性を高める機能も有している。
【００４４】
上部ユニット２０は、上部ユニット基部２１、左右一対のスピーカ装置（不図示）、スピーカカバー２２Ｌ，２２Ｒ、画像表示装置（不図示）、表示窓２３、装飾用ＬＥＤ（不図示）、レンズカバー２４、ＬＥＤ用基板、液晶パネル、コネクタ（いずれも不図示）等の各種複数個の機能部材をユニット化してなり、扉体基部１０の上部ユニット取付領域１３に、四隅をビス止めされて取り付けられる。
【００４５】
リールパネルユニット３０は、リールパネル３１単独からなり、扉体基部１０のリールパネルユニット取付領域１４に、扉体基部１０の右側辺部１１Ｒ側から差し込まれるように取り付けられる。
【００４６】
操作部ユニット４０は、操作部ユニット基部４１、遊技情報を表示するための画像表示装置（不図示）、表示窓４２、コイン投入口４３、遊技コインの投入を条件として上記リール装置の各リールの回転を開始させるためのスタートレバー４４、各リールに個別に対応して各リールの回転を停止させるための３個のストップスイッチ４５Ａ〜４５Ｃ、その他の操作スイッチ、コネクタ（不図示）等の各種複数個の機能部材をユニット化してなり、扉体基部１０の操作部ユニット取付領域１５に、四隅をビス止めされて取り付けられる。
【００４７】
腰部ユニット５０は、化粧用の腰部パネル５１単独からなり、扉体基部１０の腰部ユニット取付領域１６に、扉体基部１０の右側辺部１１Ｒ側から差し込まれるように取り付けられる。
【００４８】
左サイドランプユニット７０Ｌおよび右サイドランプユニット７０Ｒは、サイドレンズカバー７１、装飾用ＬＥＤ、ＬＥＤ用基板、コネクタ（いずれも不図示）等の各種複数個の機能部材をそれぞれユニット化してなる。これら左サイドランプユニット７０Ｌおよび右サイドランプユニット７０Ｒは、上述のごとく扉体基部１０に取り付けられた、上部ユニット２０、リールパネルユニット３０、操作部ユニット４０、腰部ユニット５０の各機能部材ユニットを左右両方向から挟むように、扉体基部１０の左側辺部１１Ｌおよび右側辺部１１Ｒにそれぞれ取り付けられるサイド部材を構成している。そして、これら左サイドランプユニット７０Ｌおよび右サイドランプユニット７０Ｒを取り付けることにより、装飾効果や演出効果を高めることができるという効果の他に、リールパネルユニット３０や操作部ユニット４０を許可無く取り外すといった不正行為が行なわれ難くするという効果も得られる。
【００４９】
下部ユニット６０（コイントレー６１）は、図３に示すように、扉体基部１０の下部ユニット取付領域１７の裏面からビスを通すことにより、コイントレー６１を構成する取付板６３を介してビス止めされ、取り付けられる。
【００５０】
コイントレー６１は、上記方法により取り付けられているため、機種交換や修理交換の際に、コイントレー６１の取り付けや取り外しも簡単であり、コイントレー６１を容易に交換することができ、取り付けや取り外しにより破損が発生することもない。
【００５１】
また、コイントレー６１の幅が遊技機の横幅と略等しくなるので、コイントレー６１の容量を増大させることができ、充分な数量のコインをコイントレー６１に収容することができる。また、コイントレー６１は、扉体基部１０にしっかりと取り付けられるため、コインの収容により破損等が発生しない充分な強度を有する。
【００５２】
さらに、コイントレーを扉体基部に取り付けることにより、コイントレーが補強材として働くため、扉体基部の機械的な強度を改善することができる。
【００５３】
なお、上述した、上部ユニット取付領域１３、リールパネルユニット取付領域１４、および操作部ユニット取付領域１５は、前後方向が共に開放されているのに対して、腰部ユニット取付領域１６および下部ユニット取付領域１７は、後方側に壁部を有している。また、下部ユニット取付領域１７の壁部の略中央にはコイン排出口１８が形成されており、このコイン排出口１８の後部には、キャンセルシュート１９が取り付けられる。
【００５４】
上述した各機能部材ユニットは、扉体基部１０のそれぞれ対応する各取付領域に対して着脱可能に構成されている。したがって、機能部材の一部に何らかの不具合が生じた場合には、その機能部材を有する機能部材ユニットのみを交換することにより、速やかに機能復帰を実現することが可能となる。例えば、スタートレバー４４の作動状態に不具合が生じた場合には、操作部ユニット４０を別のものに交換すればよい。交換のため取り外した機能部材ユニットは、工場等において部品交換等の修理を行なうことにより再利用することが可能であり、資源の有効利用を図ることが可能となっている。
【００５５】
また、機種変更に際しても、機能部材ユニットの全部を交換する方法以外に、それらの一部のみを交換する方法により対処することが可能であり、機種変更の態様の多様化および費用低減化を図ることが可能となっている。さらに、扉体基部１０を全機種あるいは複数機種間において共通化すれば、各機能部材ユニットの交換、再利用がより行ない易くなり、資源の有効利用をより推進することが可能となると共に、部品の共通化により製造コストを低減することも可能となる。
【００５６】
なお、上述したように、上部ユニット２０や操作部ユニット４０を扉体基部１０にビス止めすることにより、前面扉体３の剛性を高めることが可能となっている。
【００５７】
以上、本発明の一実施形態を説明したが、本発明は上記実施形態に限られるものではなく、種々の態様変更を行なうことが可能である。
例えば、上述した実施形態においては、リール装置が本体筐体側に配されているが、リール装置をリールパネルユニットに組み込むようにしてもよい。
【００５８】
また、上述した実施形態では、扉体基部において枠部の左右の側辺部を連結する連結部を設けているが、各操作部材ユニット取付領域の区分が可能であり、扉体基部の剛性を確保し得る場合には、連結部を設けなくてもよい。
【００５９】
さらに、機能部材ユニットに、履歴データを記憶する記憶手段を設けるようにしてもよい。例えば、上述した実施形態において、上部ユニット２０、リールパネルユニット３０、操作部ユニット４０、腰部ユニット５０、下部ユニット６０、左サイドランプユニット７０Ｌ、右サイドランプユニット７０Ｒの各々に固有のＩＤが付与されたＩＣチップを搭載させ、ユニットごとに製造年月日や出荷履歴等の履歴データを更新可能なように記憶させることにしてもよい。これにより、各ユニットの疲弊度等を一括管理することが可能となり、例えば、ユニットをリユースする場合、耐用年数と比較して、ユニットごとに回収時期を判断することができる。また、市場に出回っている状態において、不正なユニットに交換されてしまったとしても、上記のＩＣチップを参照することによって、即座に発見することができる。
【００６０】
さらに、上述した実施形態では、スロットマシンを例にとって説明したが、本発明は、パチンコ機や雀球遊技機等の弾球遊技機やその他の遊技機にも適用することが可能である。
【００６１】
【発明の効果】
第一及び第ニの本発明によれば、扉体基部下側の左右の辺部に、コイントレーの両端に存在する取付板を介してコイントレーが取り付けられるようになっているため、機種交換や修理交換の際には、上記取付板で扉体基部を左右から挟み込むようにした後、ビス等の連結部材を用いて簡単に取り付けることができ、また、取り外しも簡単であり、コイントレーを容易に交換することができる。
【００６２】
また、上述した挿入タイプのコイントレーでは、コイントレーの幅が遊技機の横幅よりも狭くなるため、コインの収容量が充分とは言えなかったが、本発明によれば、コイントレーの幅が遊技機の横幅と略等しくなるので、コイントレーの容量を増大させることができ、充分な数量のコインをコイントレーに収容することができるとともに、扉体基部にしっかりと取り付けられているため、コインの収容により破損等が発生しない充分な強度を有する。
【００６３】
また、挿入タイプのコイントレーでは、出し入れの際等に破損が発生しやすかったが、本発明では、ビス等の連結部材を用いて取り付けるため、コイントレーの取り付けや取り外しに起因して破損が発生することはない。
【００６４】
さらに、コイントレーが扉体基部にしっかりと取り付けられる結果、コイントレーが補強材として働くため、扉体基部の機械的な強度を改善することができる。
【図面の簡単な説明】
【図１】本発明の一実施形態に係るスロットマシンの前面扉体の分解斜視図である。
【図２】本発明の一実施形態に係るスロットマシンの斜視図である。
【図３】図２に示したスロットマシンにおいて、コイントレーが取り付けられた部分を示す水平断面図である。
【符号の説明】
１　スロットマシン
２　本体筐体
３　前面扉体
１０　扉体基部
１１　枠部
１１Ｌ　左側辺部
１１Ｒ　右側辺部
１２Ａ〜１２Ｄ　連結部
１３　上部ユニット取付領域
１４　リールパネルユニット取付領域
１５　操作部ユニット取付領域
１６　腰部ユニット取付領域
１７　下部ユニット取付領域
１８　コイン排出ロ
１９　キャンセルシュート
２０　上部ユニット
２１　上部ユニット基部
２２Ｌ、２２Ｒ　スピーカカバー
２３、４２　表示窓
２４　レンズカバー
３０　リールパネルユニット
３１　リールパネル
４０　操作部ユニット
４１　操作部ユニット基部
４３　コイン投入ロ
４４　スタートレバー
４５Ａ〜４５Ｃ　ストップスイッチ
５０　腰部ユニット
５１　腰部パネル
６０　下部ユニット
６１　コイントレー
６３　取付板
６４　灰皿
７０Ｌ　左サイドランプユニット
７０Ｒ　右サイドランプユニット
７１　サイドレンズカバー
８０　長蝶番部材
８１Ａ、８１Ｂ　ヒンジ部
９０　補強杆部材
９１　錠装置
【図１】
2004024391.tif 000003
【図２】
2004024391.tif 000004
【図３】
2004024391.tif 000005